(57)【特許請求の範囲】
【請求項１】
電柱に一方から引き留められる第１の架線と他方から引き留められる第２の架線とを電気的に繋ぐ縁線を第１の架線から第２の架線に向かって案内可能である案内手段を備える縁線保護具を用いて、これらの架線間に縁線を接続する縁線接続方法であって、
案内手段を第１の架線と第２の架線との間に並行するように保持する保持工程と、案内手段により第１の架線から第２の架線に縁線を案内する案内工程と、電柱に引き留められることにより張力が作用している第１の架線の部分と案内手段により当該第１の架線の部分まで案内される縁線の一端部とを接続する第１の接続工程と、電柱に引き留められることにより張力が作用している第２の架線の部分と案内手段により当該第２の架線の部分まで案内される縁線の他端部とを接続する第２の接続工程と、を備えることを特徴とする縁線接続方法。
【請求項２】
前記案内手段は、前記縁線を被覆して絶縁する筒状の被覆筒体である請求項１に記載の縁線接続方法。
【請求項３】
電柱に一方から引き留められる第１の架線と他方から引き留められる第２の架線とを電気的に繋ぐ縁線を第１の架線から第２の架線に向かって案内可能であり、縁線を被覆して絶縁する筒状の被覆筒体である案内手段と、該被覆筒体の端部の被覆を解除可能な端部被覆解除手段とを備える縁線保護具を用いて、これらの架線間に縁線を接続する縁線接続方法であって、
案内手段を第１の架線と第２の架線との間に並行するように保持する保持工程と、案内手段により第１の架線から第２の架線に縁線を案内する案内工程と、電柱に引き留められることにより張力が作用している第１の架線の部分と案内手段により当該第１の架線の部分まで案内される縁線の一端部とを接続する第１の接続工程と、電柱に引き留められることにより張力が作用している第２の架線の部分と案内手段により当該第２の架線の部分まで案内される縁線の他端部とを接続する第２の接続工程と、を備え、第１の接続工程又は第２の接続工程は、端部被覆解除手段で被覆筒体の端部の被覆を解除して架線と縁線とを接続することを特徴とする縁線接続方法。
【請求項４】
前記端部被覆解除手段は、前記被覆筒体の端部を筒芯方向に複数分割可能な分割手段である請求項３に記載の縁線接続方法。
【請求項５】
電柱に一方から引き留められる第１の架線と他方から引き留められる第２の架線とを電気的に繋ぐ縁線を第１の架線から第２の架線に向かって案内可能である案内手段であって、第１の架線と第２の架線との間に架け渡されて支持される長尺状の支持線材と、該支持線材に所定間隔空けて複数取り付けられ、当該支持線材から縁線が反れないように案内する案内部材とを備える案内手段を備える縁線保護具を用いて、これらの架線間に縁線を接続する縁線接続方法であって、
案内手段を第１の架線と第２の架線との間に並行するように保持する保持工程と、案内手段により第１の架線から第２の架線に縁線を案内する案内工程と、電柱に引き留められることにより張力が作用している第１の架線の部分と案内手段により当該第１の架線の部分まで案内される縁線の一端部とを接続する第１の接続工程と、電柱に引き留められることにより張力が作用している第２の架線の部分と案内手段により当該第２の架線の部分まで案内される縁線の他端部とを接続する第２の接続工程と、を備えることを特徴とする縁線接続方法。
【請求項６】
前記電柱の柱上に設けられる腕金に前記縁線を支持する縁線支持具を備え、
前記縁線保護具は、前記被覆筒体の中途部の被覆を解除可能な中途部被覆解除手段を備え、
中途部被覆解除手段で被覆筒体の中途部の被覆を解除し、被覆筒体により被覆されていた縁線の中途部を縁線支持具によって支持する支持工程を備える請求項２〜４のいずれか１項に記載の縁線接続方法。
【請求項７】
前記縁線支持具は、前記腕金に固定可能な固定部材と、前記縁線を支持可能な支持部材と、固定部材と支持部材とを離間して連結する連結部材と、を備える請求項６に記載の縁線接続方法。
【請求項８】
前記中途部被覆解除手段は、前記被覆筒体の中途部を筒芯方向に複数分割可能な分割手段である請求項６又は７に記載の縁線接続方法。
【請求項９】
前記架線間に前記縁線を接続した後に、前記縁線保護具を縁線から取り外す取外工程を備える請求項１〜８のいずれか１項に記載の縁線接続方法。
【発明の詳細な説明】
【技術分野】
【０００１】
本発明は、電柱に一方から引き留められる第１の架線と他方から引き留められる第２の架線とを電気的に繋ぐ縁線を当該架線間に接続する縁線接続方法に関する。
【背景技術】
【０００２】
従来より、電柱には、引き留めクランプ等で引き留められて、張力が作用した状態で架線が架設されている。そして、その電柱の一方から引き留められる（第１の）架線と他方から引き留められる（第２の）架線との間には、張力が働かないようにして（電気的に）繋がれた縁線が設けられている（特許文献１  段落［０００６］等参照）。
【０００３】
この縁線には張力が作用していないため、この縁線箇所を切断することにより、容易に停電を発生させることができる。また、この切断された縁線箇所を接続しなおすことにより、停電を復旧させることができる（特許文献２  ［背景技術］等参照）。
【先行技術文献】
【特許文献】
【０００４】
【特許文献１】特開２０００−３１６４５７号公報
【特許文献２】特開２０１０−１７６８７８号公報
【発明の概要】
【発明が解決しようとする課題】
【０００５】
しかし、このような位置に接続箇所を設けると、当該接続箇所を絶縁カバー等で被覆するとはいえ、腕金や該腕金に支持される碍子などの充電部に近く、絶縁カバーが脱落した際に短絡や地絡事故になる恐れがある。特に、このような位置は、鳥の足場ともなっており巣が作られやすく、この巣に含まれる鉄くずなどの導電体が原因で地絡や短絡事故の可能性がより一層高まるため、注意を要していた。
【０００６】
よって、本発明は、かかる事情に鑑み、地絡や短絡事故が起こりにくいように架線に縁線を接続することができる縁線接続方法を提供することを課題とする。
【課題を解決するための手段】
【０００７】
本発明に係る縁線接続方法は、電柱に一方から引き留められる第１の架線と他方から引き留められる第２の架線とを電気的に繋ぐ縁線を第１の架線から第２の架線に向かって案内可能である案内手段を備える縁線保護具を用いて、これらの架線間に縁線を接続する縁線接続方法であって、案内手段を第１の架線と第２の架線との間に並行するように保持する保持工程と、案内手段により第１の架線から第２の架線に縁線を案内する案内工程と、電柱に引き留められることにより張力が作用している第１の架線の部分と案内手段により当該第１の架線の部分まで案内される縁線の一端部とを接続する第１の接続工程と、電柱に引き留められることにより張力が作用している第２の架線の部分と案内手段により当該第２の架線の部分まで案内される縁線の他端部とを接続する第２の接続工程と、を備えることを特徴とする。
【０００８】
かかる方法によれば、電柱に引き留められることにより張力が作用している架線の部分（例えば、架線が引き留めクランプで電柱間に引き留められている場合であれば、当該架線の一端部を引き留める引き留めクランプと他端部を引き留める引き留めクランプとの間の部分）に縁線を接続することができ、充電部や鳥の巣が作られやすい位置（引き留めクランプより電柱側の位置）に縁線が接続されることがないため、地絡や短絡事故が起こりにくいように架線に縁線を接続することができる。
【０００９】
また、この案内手段で案内される縁線は、架線や充電部に接近しないように離隔を保った状態で第１の架線から第２の架線に向かって案内され、この離隔が確保された状態で架線に接続することができる。よって、架線間に縁線を接続する際においても、地絡や短絡事故が起こりにくいように架線に縁線を接続することができる。
【００１０】
また、本発明によれば、前記案内手段は、前記縁線を被覆して絶縁する筒状の被覆筒体であることが好ましい。かかる方法によれば、縁線は、絶縁性を有する被覆筒体の内側に沿って、架線や充電部との離隔が確保された状態で第１の架線から第２の架線に向かって案内される。よって、架線間に縁線を接続する際においても、地絡や短絡事故が起こりにくいように架線に縁線を接続することができる。
【００１１】
また、本発明に係る縁線接続方法は、電柱に一方から引き留められる第１の架線と他方から引き留められる第２の架線とを電気的に繋ぐ縁線を第１の架線から第２の架線に向かって案内可能であり、縁線を被覆して絶縁する筒状の被覆筒体である案内手段と、該被覆筒体の端部の被覆を解除可能な端部被覆解除手段とを備える縁線保護具を用いて、これらの架線間に縁線を接続する縁線接続方法であって、案内手段を第１の架線と第２の架線との間に並行するように保持する保持工程と、案内手段により第１の架線から第２の架線に縁線を案内する案内工程と、電柱に引き留められることにより張力が作用している第１の架線の部分と案内手段により当該第１の架線の部分まで案内される縁線の一端部とを接続する第１の接続工程と、電柱に引き留められることにより張力が作用している第２の架線の部分と案内手段により当該第２の架線の部分まで案内される縁線の他端部とを接続する第２の接続工程と、を備え、第１の接続工程又は第２の接続工程は、端部被覆解除手段で被覆筒体の端部の被覆を解除して架線と縁線とを接続することを特徴とする。
【００１２】
かかる方法によれば、電柱に引き留められることにより張力が作用している架線の部分（例えば、架線が引き留めクランプで電柱間に引き留められている場合であれば、当該架線の一端部を引き留める引き留めクランプと他端部を引き留める引き留めクランプとの間の部分）に縁線を接続することができ、充電部や鳥の巣が作られやすい位置（引き留めクランプより電柱側の位置）に縁線が接続されることがないため、地絡や短絡事故が起こりにくいように架線に縁線を接続することができる。
また、この案内手段で案内される縁線は、架線や充電部に接近しないように離隔を保った状態で第１の架線から第２の架線に向かって案内され、この離隔が確保された状態で架線に接続することができる。よって、架線間に縁線を接続する際においても、地絡や短絡事故が起こりにくいように架線に縁線を接続することができる。
また、縁線は、絶縁性を有する被覆筒体の内側に沿って、架線や充電部との離隔が確保された状態で第１の架線から第２の架線に向かって案内される。よって、架線間に縁線を接続する際においても、地絡や短絡事故が起こりにくいように架線に縁線を接続することができる。
また、案内手段で縁線の端部が被覆されている場合であっても、端部被覆解除手段で案内手段の端部の被覆を解除すると、縁線の端部の被覆が解除されるため、案内手段により被覆されていた縁線の端部と架線とを接続することができる。
【００１３】
また、本発明によれば、前記端部被覆解除手段は、前記被覆筒体の端部を筒芯方向に複数分割可能な分割手段であることが好ましい。かかる方法によれば、縁線を被覆筒体によって第１の架線と第２の架線との間に渡して、分割手段によって被覆筒体の端部で分割することにより、縁線の端部の被覆が解除されるため、案内手段により被覆されていた縁線の端部と架線とを接続することができる。
【００１４】
また、本発明に係る縁線接続方法は、電柱に一方から引き留められる第１の架線と他方から引き留められる第２の架線とを電気的に繋ぐ縁線を第１の架線から第２の架線に向かって案内可能である案内手段であって、第１の架線と第２の架線との間に架け渡されて支持される長尺状の支持線材と、該支持線材に所定間隔空けて複数取り付けられ、当該支持線材から縁線が反れないように案内する案内部材とを備える案内手段を備える縁線保護具を用いて、これらの架線間に縁線を接続する縁線接続方法であって、案内手段を第１の架線と第２の架線との間に並行するように保持する保持工程と、案内手段により第１の架線から第２の架線に縁線を案内する案内工程と、電柱に引き留められることにより張力が作用している第１の架線の部分と案内手段により当該第１の架線の部分まで案内される縁線の一端部とを接続する第１の接続工程と、電柱に引き留められることにより張力が作用している第２の架線の部分と案内手段により当該第２の架線の部分まで案内される縁線の他端部とを接続する第２の接続工程と、を備えることを特徴とする。
かかる方法によれば、電柱に引き留められることにより張力が作用している架線の部分（例えば、架線が引き留めクランプで電柱間に引き留められている場合であれば、当該架線の一端部を引き留める引き留めクランプと他端部を引き留める引き留めクランプとの間の部分）に縁線を接続することができ、充電部や鳥の巣が作られやすい位置（引き留めクランプより電柱側の位置）に縁線が接続されることがないため、地絡や短絡事故が起こりにくいように架線に縁線を接続することができる。
また、この案内手段で案内される縁線は、架線や充電部に接近しないように離隔を保った状態で第１の架線から第２の架線に向かって案内され、この離隔が確保された状態で架線に接続することができる。よって、架線間に縁線を接続する際においても、地絡や短絡事故が起こりにくいように架線に縁線を接続することができる。
また、案内部材により支持線材から反れないように縁線が第１の架線から第２の架線に向かって案内され、第１の架線と第２の架線との間に架け渡される。よって、架線間に縁線を接続する際においても、地絡や短絡事故が起こりにくいように架線に縁線を接続することができる。
【００１５】
また、本発明によれば、前記電柱の柱上に設けられる腕金に前記縁線を支持する縁線支持具を備え、前記縁線保護具は、前記被覆筒体の中途部の被覆を解除可能な中途部被覆解除手段を備え、中途部被覆解除手段で被覆筒体の中途部の被覆を解除し、被覆筒体により被覆されていた縁線の中途部を縁線支持具によって支持する支持工程を備えるのが好ましい。かかる方法によれば、一方の（第１の）架線と他方の（第２の）架線との間に渡される縁線が自重などにより撓んで腕金などと接触するようなことがないように、縁線を縁線支持具で腕金に支持する場合であって、案内手段で縁線の中途部が被覆されている場合であっても、中途部被覆解除手段で案内手段の中途部の被覆を解除すると、縁線の中途部の被覆が解除されるため、案内手段により被覆されていた縁線の中途部を縁線支持具で支持することができる。
【００１６】
また、本発明によれば、前記縁線支持具は、前記腕金に固定可能な固定部材と、前記縁線を支持可能な支持部材と、固定部材と支持部材とを離間して連結する連結部材と、を備えることが好ましい。かかる方法によれば、例えば、活線状態で縁線を架線間に接続するような場合で、縁線を支持するピン碍子などの縁線支持具に活線状態にある既設の縁線が支持されていることにより、新設する縁線が支持できない場合であっても、本発明に係る縁線支持具を腕金に固定することにより新設する縁線を支持することができる。
【００１７】
また、本発明によれば、前記中途部被覆解除手段は、前記被覆筒体の中途部を筒芯方向に複数分割可能な分割手段であることが好ましい。かかる方法によれば、縁線を被覆筒体によって第１の架線と第２の架線との間に渡して、分割手段によって被覆筒体の中途部で分割することにより、被覆筒体に覆われていた縁線の中途部の被覆が解除され、当該縁線の中途部を縁線支持具で支持することができる。
【００１８】
また、本発明によれば、前記架線間に前記縁線を接続した後に、前記縁線保護具を縁線から取り外す取外工程を備えることが好ましい。かかる方法によれば、架線に接続され、又は、縁線支持具に支持された後、当該縁線から縁線保護具を取り外して、他の縁線の接続に使いまわすことができる。
【発明の効果】
【００１９】
以上の如く、本発明に係る縁線接続方法によれば、地絡や短絡事故が起こりにくいように架線に縁線を接続することができるという優れた効果を奏する。
【図面の簡単な説明】
【００２０】
【図１】（ａ）〜（ｃ）は、本発明に係る縁線接続方法が適用される具体的な事例を説明する縁線周辺の側面外観図を示し、（ｄ）は、本発明に係る縁線接続方法が適用された代表事例を説明する縁線周辺の側面外観図を示す。
【図２】本発明の第１実施形態に係る縁線接続方法に用いる縁線保護具の外観側面図を示す。
【図３】同実施形態に係る縁線接続方法に用いる縁線保護具の要部拡大図を示し、（ａ）は、図２のＡ−Ａ断面の断面図（装着部材を架線に装着するために閉じた状態）であり、（ｂ）は、図２のＡ−Ａ断面の断面図（装着部材を架線に装着する前の開いた状態）であり、（ｃ）は、第１の被覆解除手段の外観斜視図である。
【図４】（ａ）は、同実施形態に係る縁線接続方法に用いる縁線支持具の側面図を示し、（ｂ）は、（ａ）のＡ−Ａ断面の断面図を示す。
【図５】同実施形態に係る縁線接続方法の各工程を説明するフローチャートを示す。
【図６】同実施形態に係る縁線接続方法の各工程を説明する説明図を示し、（ａ）は、保持工程及び案内工程を示す図であり、（ｂ）は、第１の接続工程及び第２の接続工程を示す図である。
【図７】同実施形態に係る縁線接続方法の各工程を説明する説明図を示し、（ａ）は、支持工程及び取外工程を示す図であり、（ｂ）は、接続完了後を示す図である。
【図８】本発明の第２実施形態に係る縁線接続方法に用いる縁線保護具の外観斜視図を示す。
【図９】同実施形態に係る縁線接続方法の各工程を説明する説明図を示し、（ａ）は、保持工程及び案内工程を示す図であり、（ｂ）は、第１の接続工程及び第２の接続工程を示す図である。
【図１０】同実施形態に係る縁線接続方法の接続完了後を示す図である。
【図１１】他の実施形態に係る縁線接続方法に用いる縁線保護具の側面図を示す。
【図１２】（ａ）は、他の実施形態に係る縁線接続方法に用いる縁線保護具の側面図を示し、（ｂ）は、同実施形態に係る案内部材の側面図を示し、（ｃ）は、支持線材に取り付けられている案内部材の側面図を示す。
【図１３】他の実施形態に係る縁線保護具の第２の被覆解除手段の開閉手段であって、（ａ）は、閉じた状態を示す外観斜視図であり、（ｂ）は、開いた状態を示す外観斜視図であり、（ｃ）は、装着部材を開いた状態を示す側面図である。
【発明を実施するための形態】
【００２１】
本発明の第１実施形態に係る縁線接続方法について、図面を参照しつつ説明する。まず、本縁線接続方法が適用される具体的な事例について図１を参酌しつつ説明する。本縁線接続方法が適用される第１の事例は、図１（ａ）の縁線周辺の側面外観図に示されるように、既設の縁線９０１を新設の縁線に張り替える事例である。第２の事例は、図１（ｂ）の縁線周辺の側面外観図に示されるように、既設の縁線９０１に当該縁線９０１同士の接続部分９０２があるため、新たに縁線９０１を切断して接続しなおすことが容易でない事例である。第３の事例は、図１（ｃ）の縁線周辺の側面外観図に示されるように、終末の電柱９０３に架設された架線９０４の末端（俗に、「とまり」と称する部分）を更に延長させる事例である。本発明の縁線接続方法が適用されると、縁線９０１は、図１（ｄ）に示すように、電柱９０３に一方から引き留められ張力が作用した第１の架線９０４Ａと、他方から引き留められ張力が作用した第２の架線９０４Ｂとに当該縁線９０１の端部が接続され、更に、腕金９０５に支持されたピン碍子９０６に当該縁線９０１の中途部が接続される。
【００２２】
第１の事例及び第２の事例では、図１（ａ）及び図１（ｂ）に示すように、引き留めクランプ９０７，９０７で引き留められ、張力が作用していない部分（すなわち、縁線）９０１を切断して停電させた後、復旧させる場合に、図１（ｄ）に示すように、縁線９０１の当該切断箇所を圧着スリーブ等で接続することなく、ピン碍子９０６から縁線（図１（ａ）又は図１（ｂ）に示す縁線）９０１を取り外し、端末キャップ９０８，９０８で端末処理を施す。そして、新設する縁線９０１の端部を接続する架線９０４，９０４の接続箇所の絶縁被覆を剥ぎ、導電部分を剥き出しにして、圧着スリーブ等で縁線９０１の端部と接続し、絶縁カバー９０９，９０９で絶縁被覆する。また、新設する縁線９０１の中途部は、ピン碍子９０６に固定する。このようにして新しい縁線９０１に張り替える。
【００２３】
また、第１の事例及び第２の事例には、停電させる必要がない場合など、間接活線作業で縁線９０１を張り替える事例も含まれる。すなわち、既設の縁線９０１を切断することなく、当該縁線９０１と並行させて上記事例の要領で縁線９０１を新設し、その後、既設の縁線９０１を切断するなどして撤去し、新しい縁線９０１に張り替える事例である。
【００２４】
なお、縁線９０１が電柱９０３に一方から引き留めクランプ９０７で引き留められる第１の架線９０４Ａと他方から引き留めクランプ９０７で引き留めされる第２の架線９０４Ｂとを連結することなく連続する１本の電線にあっては、引き留めクランプ９０７，９０７で引き留められることにより張力が作用している部分を架線（第１の架線９０４Ａ又は第２の架線９０４Ｂ）９０４とみなし、引き留めクランプ９０７，９０７間の、張力が作用していない部分を縁線９０１とみなす。
【００２５】
第３の事例でも、基本的に上記事例の要領と同様に縁線９０１が新設される。すなわち、延長される架線を同じく新設する引き留めクランプを介して電柱９０３に引き留め、既設の架線９０４と新たに電柱９０３に引き留められる架線とを縁線９０１に接続することにより、架線９０４を延長する。
【００２６】
次に、第１実施形態に係る縁線接続方法について説明する。まず、本実施形態に係る縁線接続方法に用いる縁線保護具及び縁線支持具の構成について、図２〜図４を参酌しつつ説明する。
【００２７】
縁線保護具１００は、図２及び図３に示されているように、縁線を第１の架線から第２の架線に向かって案内可能である案内手段１１０と、該案内手段１１０を架線に装着可能な装着部材１５０，１５０と、を備える。
【００２８】
案内手段１１０は、縁線を被覆して絶縁する筒状の被覆筒体１２０と、該被覆筒体１２０の中途部の被覆を解除可能な第１の被覆解除手段１３０と、被覆筒体１２０の端部の被覆を解除可能な第２の被覆解除手段１４０と、を備える。
【００２９】
被覆筒体１２０は、縁線を第１の架線との接続部分から第２の架線との接続部分にまで案内する経路長に相当する長さを有し、案内する縁線の直径以上の内径を有する円筒形の筒体本体１２１と、間接活線作業具で把持するための複数の把持部１２２，…とを備える。被覆筒体１２０は、電気絶縁性並びに絶縁耐力が大きいものが選択され、例えば、天然ゴム、合成ゴム、プラスチックなどで製造される。
【００３０】
縁線を第１の架線から第２の架線に設ける際に、第１の架線と第２の架線との間に位置する充電部を避けるために、縁線が円弧状に曲げられて設けられることから、被覆筒体１２０も、当該縁線と同様に、円弧状に曲げられている。更に、被覆筒体１２０は、半割れ構造となっており、内面に沿って縁線を挿入した後、該縁線から当該縁線の径方向に取り外し可能な構造となっている。
【００３１】
第１の被覆解除手段１３０は、図３（ｃ）に示すように、被覆筒体１２０の中途部を筒芯方向に複数分割可能な分割手段１３１と、該分割手段１３１の分割操作のために把持する把持部１３２，１３２と、を備える。
【００３２】
分割手段１３１は、被覆筒体１２０の長手方向に２分割可能に構成され、被覆筒体１２０を第１分割体１２０Ａと第２分割体１２０Ｂとに分離する。第１分割体１２０Ａは、第１の架線側の被覆筒体１２０であり、第２分割体１２０Ｂは、第２の架線側の被覆筒体１２０である。第１分割体１２０Ａと第２分割体１２０Ｂとは、第１分割体１２０Ａの開口端面が凹状に形成され、第２分割体１２０Ｂの開口端面が凸状に形成され、それぞれが凹凸係合されて結合されている。そして、分割手段１３１は、この凹凸係合を分離することにより第１分割体１２０Ａと第２分割体１２０Ｂとに分割する。
【００３３】
把持部１３２，１３２は、被覆筒体１２０の把持部１２２，…と同じ構成であり、第１分割体１２０Ａと第２分割体１２０Ｂとの結合部を跨いで、第１分割体１２０Ａと第２分割体１２０Ｂとのそれぞれの端部に設けられた一対の把持部１２２，１２２を一組として用いる。よって、把持部１３２，１３２を長手方向に離間させるように操作することにより、凹凸係合された第１分割体１２０Ａと第２分割体１２０Ｂとの開口端部同士が離間して、第１の被覆解除手段１３０は、第１分割体１２０Ａと第２分割体１２０Ｂとに分割することができる。
【００３４】
第２の被覆解除手段１４０は、被覆筒体１２０の端部が筒芯方向に複数分割可能な分割手段１４１と、該分割手段１４１の分割操作のために把持する把持部１４２，１４２と、を備える。
【００３５】
分割手段１４１は、第１分割体１２０Ａの長手方向に２分割可能に構成され、一端側が閉塞している蓋体１２０Ｃを第１分割体１２０Ａから分離させる。第１分割体１２０Ａと蓋体１２０Ｃとは、第１分割体１２０Ａの開口端面が凹状に形成され、蓋体１２０Ｃの開口端面が凸状に形成され、それぞれが凹凸係合されて結合されている。そして、分割手段１４１は、この凹凸係合を分離することにより第１分割体１２０Ａと蓋体１２０Ｃとに分割する。
【００３６】
把持部１４２，１４２は、被覆筒体１２０の把持部１２２，…と同じ構成であり、第１分割体１２０Ａと蓋体１２０Ｃとの結合部を跨いで、第１分割体１２０Ａと蓋体１２０Ｃとのそれぞれの端部に設けられた一対の把持部１２２，１２２を一組として用いる。よって、把持部１４２を長手方向に離間させるように操作することにより、凹凸係合された第１分割体１２０Ａと蓋体１２０Ｃとの開口端部同士が離間して、第２の被覆解除手段１４０は、第１分割体１２０Ａと蓋体１２０Ｃとに分割することができる。
【００３７】
装着部材１５０は、被覆筒体１２０の両端部に架線と対向可能な位置に設けられる。装着部材１５０は、第１の架線と第２の架線とに１か所づつ以上設けられるのが好ましい。装着部材１５０は、図３（ａ）及び（ｂ）に示すように、架線を挟み込むことで装着される。
【００３８】
縁線支持具１６０は、図４に示すように、電柱の柱上に設けられる腕金９０５に縁線を支持するため、腕金９０５に固定可能な固定部材１６１と、縁線を支持可能な支持部材１６２と、固定部材１６１と支持部材１６２とを離間して連結する連結部材１６３と、を備える。
【００３９】
固定部材１６１は、腕金９０５を把持する構造を有し、腕金９０５の上面と下面とに接触させて把持することにより腕金９０５に固定される。固定部材１６１は、腕金９０５を側面から嵌め込み可能なように断面形状が略コの字形に形成された固定部１６１ａと、該固定部１６１ａを嵌め込んだ腕金９０５（の上面）との間の隙間を調整可能に可動する可動部１６１ｂと、を備える。固定部１６１ａと可動部１６１ｂとは、固定部１６１ａの内側に嵌め込まれた腕金９０５に対して可動部１６１ｂを進退可能に可動し、腕金９０５を固定部１６１ａと可動部１６１ｂとの間に挟み込むことにより、腕金９０５を着脱可能に固定する。なお、可動部１６１ｂは、固定部１６１ａに対して螺合されており、回動させることにより、軸芯方向に移動する。
【００４０】
支持部材１６２は、縁線を腕金９０５から所定間隔離間した位置に保持するために、縁線を支持する。支持部材１６２は、略環状に形成され、内側に被覆筒体１２０が挿入可能な径を有する。
【００４１】
連結部材１６３は、支持部材１６２で支持される縁線と腕金９０５及び該腕金９０５に支持されるピン碍子やその他充電部に接触する恐れのない離隔を確保するため、固定部材１６１と支持部材１６２とを上記離間が確保できる長さを空けた状態で連結する。連結部材１６３は、支持部材１６２と軸芯中心に回動自在に連結されており、固定部材１６１の可動部１６１ｂ並びに連結部材１６３が軸芯中心に回動しても支持部材１６２は、追従して回動しない構造を有する。なお、連結部材１６３は、縁線等に鳥等が乗るなどして縁線が腕金９０５側に寄ることがないようにつっかえとなる働きも有している。
【００４２】
次に、本実施形態に係る縁線接続方法について、図５〜図７を参酌しつつ詳細に説明する。ここで、縁線として用いる電線は、予め作業者によって両端部の絶縁被覆が剥ぎ取られ、導電部が露出した状態となっている。また、縁線を接続する架線側の接続箇所に絶縁被覆も剥ぎ取られており、導電部が露出した状態となっている。
【００４３】
まず最初に、縁線支持具１６０を腕金９０５に固定する（支持具固定工程Ｓ１）。具体的には、縁線支持具１６０の固定部材１６１の固定部１６１ａに嵌め込み、可動部１６１ｂを可動させて固定する。
【００４４】
次いで、作業者は、図６（ａ）に示すように、案内手段１１０を第１の架線９０４Ａと第２の架線９０４Ｂとの間に並行するように保持する（保持工程Ｓ２）。具体的には、被覆筒体１２０を第１の被覆解除手段１３０の分割手段１３１で第１分割体１２０Ａと第２分割体１２０Ｂとに分割する。そして、第１分割体１２０Ａの把持部１２２を間接活線作業具で把持して、先に腕金９０５に支持した縁線支持具１６０の支持部１６２に第１分割体１２０Ａの一端を挿入し、他端に設けられた装着部材１５０を第１の架線９０４Ｂに装着する。同じ要領で、第２分割体１２０Ｂの把持部１２２を間接活線作業具で把持して、縁線支持具１６０の支持部１６２に第２分割体１２０Ｂの一端を挿入するとともに第１分割体１２０Ａに凹凸係合して結合し、他端に設けられた装着部材１５０を第２の架線９０４Ｂに装着する。
【００４５】
なお、ここで用いる間接活線作業具は、絶縁ヤットコなどのような当該縁線保護具１００の把持操作が可能な間接活線作業用把持具であり、このような把持操作が可能な先端把持工具を先端に装着した共用操作棒などを用いてもよい。また、直接活線作業で行う場合であれば、絶縁手袋等で防護した作業者によって保持されてもよい。なお、縁線保護具１００及び縁線は、柱上の充電部と絶縁されつつ保持されているため、特に充電部に対して防具などの絶縁防護を施す必要はない。
【００４６】
次いで、案内手段１１０により第１の架線９０４Ａから第２の架線９０４Ｂに電線（縁線９０１）を案内する（案内工程Ｓ３）。具体的には、円弧状に曲げくせを付けた状態の電線を案内手段１１０の第１の架線９０４Ａ側から挿入し、第２分割体１２０Ａから第１分割体１２０Ｂを介して蓋体１２０Ｃまで挿入する。
【００４７】
次いで、図６（ｂ）に示すように、電柱９０３に引き留められることにより張力が作用している第１の架線９０４Ａの部分と縁線９０１の一端部とを接続する（第１の接続工程Ｓ４）。なお、縁線９０１の第１の架線９０４Ａ側の端部は、既に接続可能な状態となっており、この縁線９０１の一端部と第１の架線９０４Ａの絶縁被覆が剥ぎ取られた接続箇所とを圧着スリーブ等で接続し、絶縁カバー９０９等で絶縁保護される。
【００４８】
続けて、電柱９０３に引き留められることにより張力が作用している第２の架線９０４Ｂの部分と縁線９０１の他端部とを接続する（第２の接続工程Ｓ５）。具体的には、縁線保護具１００の第２の被覆解除手段１４０の把持部１４２，１４２を間接活線作業具で把持して、分割手段１４１で第２分割体１２０Ｂから蓋体１２０Ｃを分離する。蓋体１２０Ｃが第２分割体１２０Ｂから分離されると、第２分割体１２０Ｂから電線９０１の端部の被覆が解除される。このように被覆が解除され、縁線９０１の端部は、接続可能な状態となる。この縁線９０１の一端部と第２の架線９０４Ｂの絶縁被覆が剥ぎ取られた接続箇所とを圧着スリーブ等で接続し、絶縁カバー９０９等で絶縁保護される。
【００４９】
次いで、図７（ａ）に示すように、第１の被覆解除手段１３０で被覆筒体１２０の中途部の被覆を解除し、被覆筒体１２０により被覆されていた縁線９０１の中途部を縁線支持具１６０によって支持する（支持工程Ｓ６）。具体的には、縁線保護具１００の第１の被覆解除手段１３０の把持部１３２を間接活線作業具で把持して、分割手段１３１で被覆筒体１２０を第１分割体１２０Ａと第２分割体１２０Ｂとに分割する。分割手段１３１により、第１分割体１２０Ａと第２分割体１２０Ｂとが分割されると、縁線９０１が縁線支持具１６０の支持部１６２に支持された状態となる。なお、第１の接続工程Ｓ４、第２の接続工程Ｓ５は、何れを先に行ってもよい。
【００５０】
最後に、架線９０４Ａ，９０４Ｂ間に縁線９０１を接続した後、縁線保護具１００を縁線９０１から取り外す（取外工程Ｓ７）。具体的には、第１分割体１２０Ａ及び第２分割体１２０Ｂのそれぞれの装着部材１５０を架線９０４，９０４から取り外し、半割れ状となった第１分割体１２０Ａと第２分割体１２０Ｂとを縁線９０１から取り外す。
【００５１】
このようにして、電柱９０３に引き留められることにより張力が作用している架線９０４の部分（例えば、架線９０４が引き留めクランプ９０７で電柱９０３間に引き留められている場合であれば、当該架線９０４の一端部を引き留める引き留めクランプ９０７と他端部を引き留める引き留めクランプ９０７との間の部分）に縁線９０１を接続することができ、充電部や鳥の巣が作られやすい位置（引き留めクランプ９０７より電柱９０３側の位置）に縁線９０１が接続されることがないため、地絡や短絡事故が起こりにくいように架線９０４に縁線９０１を接続することができる。
【００５２】
また、この案内手段１１０で案内される縁線９０１は、架線９０４，９０４や充電部に接近しないように離隔を保った状態で第１の架線９０４Ａから第２の架線９０４Ｂに向かって案内され、この離隔が確保された状態で架線９０４，９０４に接続することができる。よって、架線９０４，９０４間に縁線９０１を接続する際においても、地絡や短絡事故が起こりにくいように架線９０４，９０４に縁線９０１を接続することができる。
【００５３】
また、一方の第１の架線９０４Ａと他方の第２の架線９０４Ｂとの間に渡される縁線９０１が自重などにより撓んで腕金９０５などと接触するようなことがないように、縁線９０１を縁線支持具１６０で腕金９０５に支持する場合であって、案内手段１１０で縁線９０１の中途部が被覆されている場合であっても、第１の被覆解除手段１３０で案内手段１１０の中途部の被覆を解除すると、縁線９０１の中途部の被覆が解除されるため、案内手段１１０により被覆されていた縁線９０１の中途部を縁線支持具１６０で支持することができる。
【００５４】
また、例えば、活線状態で縁線９０１を架線９０４，９０４間に接続するような場合で、縁線９０１を支持するピン碍子９０６などの縁線支持具１６０に活線状態にある既設の縁線９０１が支持されていることにより、新設する縁線９０１が支持できない場合であっても、本発明に係る縁線支持具１６０を腕金９０５に固定することにより新設する縁線９０１を支持することができる。
【００５５】
また、縁線９０１を被覆筒体１２０によって第１の架線９０４Ａと第２の架線９０４Ｂとの間に渡して、第１の被覆解除手段１３０の分割手段１３１によって被覆筒体１２０の中途部で分割することにより、被覆筒体１２０に覆われていた縁線９０１の中途部の被覆が解除され、当該縁線９０１の中途部を縁線支持具１６０で支持することができる。
【００５６】
また、案内手段１１０で縁線９０１の端部が被覆されている場合であっても、第２の被覆解除手段１４０で案内手段１１０の端部の被覆を解除すると、縁線９０１の端部の被覆が解除されるため、案内手段１１０により被覆されていた縁線９０１の端部と架線９０４，９０４とを接続することができる。
【００５７】
また、縁線９０１を被覆筒体１２０によって第１の架線９０４Ａと第２の架線９０４Ｂとの間に渡して、第２の被覆解除手段１４０の分割手段１４１によって被覆筒体１２０の端部で分割することにより、縁線９０１の端部の被覆が解除されるため、案内手段１１０により被覆されていた縁線９０１の端部と架線９０４，９０４とを接続することができる。
【００５８】
また、架線９０４，９０４に接続され、又は、縁線支持具１６０に支持された後、当該縁線９０１から縁線保護具１６０を取り外して、他の縁線９０１の接続に使いまわすことができる。
【００５９】
次に、第２実施形態に係る縁線接続方法について、詳細に説明する。まず、本実施形態に係る縁線接続方法に用いる縁線保護具２００の構成について、図８を参酌しつつ説明する。なお、本実施形態に係る縁線接続方法に用いる縁線支持具は、第１実施形態に係る縁線支持具１６０と同様であるため、構成についての説明を省略する。また、縁線保護具２００についても、第１実施形態に係る縁線保護具１００と同様の構成については、説明を省略する。
【００６０】
縁線保護具２００は、図８に示されているように、縁線を第１の架線から第２の架線に向かって案内可能である案内手段２１０と、該案内手段２１０を腕金９０５に装着可能な装着部材２５０と、を備える。
【００６１】
案内手段２１０は、縁線を被覆して絶縁する筒状の被覆筒体２２０である。被覆筒体２２０は、縁線を第１の架線との接続箇所から第２の架線との接続箇所まで案内する経路長に相当する長さを有し、すなわち、第１の架線を引き留める引き留めクランプ（の上方）から第２の架線を引き留める引き留めクランプ（の上方）まで略直線状に案内すべく、これらの引き留めクランプ間の長さに相当する長さの直管である。
【００６２】
また、被覆筒体２２０は、一方の端部（第１の架線側）から他方の端部（第２の架線側）まで長手方向に連続して隙間が形成されている。その隙間を広げることにより、被覆筒体２２０の内側に挿入された縁線を径方向に引き出すことができるようにもなっている。
【００６３】
装着部材２５０は、電柱の柱上に設けられる腕金９０５に案内手段２１０を支持するため、腕金９０５に固定可能な固定部材２５１と、固定部材２５１と案内手段２１０（被覆筒体２２０）とを離間して連結する連結部材２５２と、を備える。
【００６４】
固定部材２５１は、腕金９０５を把持する構造を有し、腕金９０５の上面と下面とに接触させて把持することにより腕金９０５に固定される。固定部材２５１は、腕金９０５を側面から嵌め込み可能なように断面形状が略コの字形に形成された固定部２５１ａと、該固定部２５１ａを嵌め込んだ腕金９０５（の上面）との間の隙間を調整可能に可動する可動部２５１ｂと、を備える。
【００６５】
連結部材２５２は、縁線支持具１６０と同様に縁線と充電部等に接触する恐れのない離隔を確保するため、固定部材２５１と案内手段２１０（被覆筒体２２０）とを上記離間が確保できる長さを空けた状態で連結する。連結部材２５３は、支持部材２５２と軸芯中心に回動自在に連結されている。
【００６６】
次に、本実施形態に係る縁線接続方法について、図９及び図１０を参酌しつつ詳細に説明する。まず最初に、縁線支持具１６０を腕金９０５に固定する（支持具固定工程Ｓ１）。
【００６７】
次いで、作業者は、図９（ａ）に示すように、案内手段２１０を第１の架線９０４Ａと第２の架線９０４Ｂとの間に並行するように保持する（保持工程Ｓ２）。具体的には、装着部材２５０の固定部材２５１を腕金９０５に固定して、案内手段２１０（被覆筒体２２０）を第１の架線９０４Ａと第２の架線９０４Ｂとの間に位置させる。
【００６８】
次いで、案内手段２１０により第１の架線９０４Ａから第２の架線９０４Ｂに電線（縁線９０１）を案内する（案内工程Ｓ３）。具体的には、直線状のままの電線を案内手段２１０の第１の架線９０４Ａ側から第２の架線９０４Ｂ側に向かって架線９０４，９０４と略平行関係を保ったまま挿入する。なお、このとき、電線の先端は、絶縁被覆が剥き出しになっているため、絶縁キャップ等で絶縁処理されることが好ましい。
【００６９】
次いで、図９（ｂ）に示すように、電柱９０３に引き留められることにより張力が作用している第１の架線９０４Ａの部分と縁線９０１の一端部とを接続する（第１の接続工程Ｓ４）。具体的には、縁線９０１が第１の架線９０４Ａの絶縁被覆が剥かれた接続箇所から離間しているため、縁線９０１を間接活線作業具等で把持し、第１の架線９０４Ａとの接続箇所まで曲げて当該架線９０４Ａと接続し、絶縁カバー９０９等で絶縁保護される。
【００７０】
続けて、電柱９０３に引き留められることにより張力が作用している第２の架線９０４Ｂの部分と縁線９０１の他端部とを接続する（第２の接続工程Ｓ５）。第２の接続工程Ｓ５も第１の接続工程Ｓ４と同様の要領で接続する。
【００７１】
最後に、架線９０４Ａ，９０４Ｂ間に縁線９０１を接続した後、縁線保護具２００を縁線９０１から取り外す（取外工程Ｓ７）。具体的には、装着部材２５０の固定部材２５１を腕金９０５から取り外し、被覆筒体２２０の隙間を広げ、この隙間に縁線９０１を通して被覆筒体２２０が縁線９０１から取り外される。
【００７２】
このようにして、電柱９０３に引き留められることにより張力が作用している架線９０４の部分（例えば、架線９０４が引き留めクランプ９０７で電柱９０３間に引き留められている場合であれば、当該架線９０４の一端部を引き留める引き留めクランプ９０７と他端部を引き留める引き留めクランプ９０７との間の部分）に縁線９０１を接続することができ、充電部や鳥の巣が作られやすい位置（引き留めクランプ９０７より電柱９０３側の位置）に縁線９０１が接続されることがないため、地絡や短絡事故が起こりにくいように架線９０４に縁線９０１を接続することができる。
【００７３】
また、この案内手段２１０で案内される縁線９０１は、架線９０４，９０４や充電部に接近しないように離隔を保った状態で第１の架線９０４Ａから第２の架線９０４Ｂに向かって案内され、この離隔が確保された状態で架線９０４，９０４に接続することができる。よって、架線９０４，９０４間に縁線９０１を接続する際においても、地絡や短絡事故が起こりにくいように架線９０４，９０４に縁線９０１を接続することができる。
【００７４】
なお、本実施形態に係る縁線保護具２００は、図１１に示すように、案内手段２１０が第１実施形態に係る縁線保護具１００の案内手段１１０のように構成されるものであってもよい。以下に、この縁線保護具について説明する。なお、本実施形態に係る縁線接続方法に用いる縁線支持具は、第１実施形態に係る縁線支持具１６０と同様であるため、構成についての説明を省略する。
【００７５】
縁線保護具３００は、第２実施形態に係る縁線保護具２００と同様に、案内手段１１０と、装着部材３６０と、を備える。なお、案内手段１１０並びに該案内手段１１０が備える被覆筒体１２０、第１の被覆解除手段１３０、第２の被覆解除手段１４０及び装着部材１５０は、第１実施形態に係る縁線保護具１００と同様であるため、同じ符号を用いるとともにその説明を省略する。
【００７６】
装着部材３６０は、電柱の柱上に設けられる腕金９０５に案内手段１１０を支持するため、腕金９０５に固定可能な固定部材３６１と、固定部材３６１と案内手段１１０（被覆筒体１２０）とを離間して連結する連結部材３６２と、を備える。
【００７７】
固定部材３６１は、腕金９０５を把持する構造を有し、腕金９０５の上面と下面とに接触させて把持することにより腕金９０５に固定される。固定部材３６１は、腕金９０５を側面から嵌め込み可能なように断面形状が略コの字形に形成された固定部本体３６１ａと、腕金９０５の脱落を阻止すべく固定部本体３６１ａの上面及び下面に設けられた突起状の係合爪３６１ｂ，３６１ｂと、を備える。
【００７８】
連結部材３６２は、縁線支持具１６０と同様に縁線と充電部等に接触する恐れのない離隔を確保するため、固定部材３６１と案内手段１１０（被覆筒体１２０）とを上記離間が確保できる長さを空けた状態で連結する。連結部材３６２は、支持部材３６２と軸芯中心に回動自在に連結されている。
【００７９】
このような縁線保護具３００を用いて縁線を接続することにより、案内手段１１０を腕金９０５と、第１の架線９０４Ａと、第２の架線９０４Ｂとの３箇所に固定して接続作業を行うことができる。すなわち、第１の架線９０４Ａから第２の架線９０４Ｂに縁線９０１を案内する際、案内手段１１０が腕金９０５に固定されることから、案内手段１１０が揺れたりして縁線９０１がぶれたりすることなく、安定して挿入することができる。
【００８０】
なお、本発明は、上記実施形態に限定されず、本発明の要旨を逸脱しない範囲で様々な変更が可能である。
【００８１】
上記第１及び第２実施形態に係る縁線接続方法は、縁線保護具１００，３００が縁線の長手方向全長に亘って被覆可能な例を説明したが、これに限定されるものではない。例えば、電線の一方の端部又は両方の端部を除いた範囲を被覆可能な案内手段であってもよい。この場合、案内手段で被覆されていない電線は、その端部の絶縁被覆を剥いで導電部が露出する場合、その部分に端末キャップを設けて、縁線を架線間に接続するようにしてもよいし、負荷側の電線端部を除いた範囲を案内手段で被覆するようにして、負荷側の電線端部のみを絶縁キャップ若しくは架線との接続の際に絶縁被覆を剥ぐようにしてもよい。
【００８２】
上記実施形態に係る縁線接続方法は、案内手段１１０，２１０が筒状の被覆筒体１２０，２２０である縁線保護具１００，２００，３００を用いる例を説明したが、これに限定されるものではない。例えば、図１２（ａ）に示すように、縁線保護具４００は、第１の架線９０４Ａと第２の架線９０４Ｂとの間に架け渡されて支持される長尺状の支持線材４２０と、該支持線材４２０に所定間隔空けて複数取り付けられ、当該支持線材４２０から前記縁線が反れないように案内する案内部材４３０と、を備える案内手段４１０により、縁線９０１を第１の架線９０４Ａから第２の架線９０４Ｂに向かって案内するものであってもよい。
【００８３】
支持線材４２０は、既設の縁線を流用するものであってもよいし、容易に変形しないワイヤーなどの線材を円弧状に曲げたものであってもよい。案内部材４３０，…は、絶縁材料で成形されたクリップであり、例えば、図１２（ｂ）及び（ｃ）に示すような相表示器を流用してもよいし、Ｓ字フックを流用してもよい。
【００８４】
このように、既設の縁線９０１を支持線材４２０として流用し、該支持線材４２０に所定間隔空けて案内部材４３０，…を取り付けることにより、簡単に縁線保護具４００の準備を行うことができるとともに、縁線９０１を充電部から離隔しつつ第１の架線９０４Ａから第２の架線９０４Ｂまで案内することができる。
【００８５】
上記第１及び第２実施形態に係る縁線接続方法は、縁線絶縁保護具１００，３００の第２の被覆解除手段１４０が分割手段１４１である例を説明したが、これに限定されるものではない。例えば、図１３の案内手段５２０の要部拡大図に示すように、第２の被覆解除手段５４０は、案内手段５２０の端部に開閉手段５４１及び把持部５４２が設けられていてもよい。なお、開閉手段５４１は、例えば、面ファスナーである。また、開閉手段５４１は、案内手段５２０の長手方向の一端と他端とを周方向に離間することにより形成される隙間に連続して当該端部が離間可能なように形成することにより、装着部材１５０を開きやすくすることができ、縁線９０１から案内手段５２０を取り外しやすくすることができる。
【符号の説明】
【００８６】
１００…縁線保護具、１１０…案内手段、１２０…被覆筒体、１２０Ａ…第１分割体、１２０Ｂ…第２分割体、１２０Ｃ…蓋体、１２１…筒体本体、１２２…把持部、１３０…第１の被覆解除手段、１３１…分割手段、１３２…把持部、１４０…第２の被覆解除手段、１４１…分割手段、１４２…把持部、１５０…装着部材、１６０…縁線支持具、１６１…固定部材、１６１ａ…固定部、１６１ｂ…可動部、１６２…支持部材、１６３…連結部材、２００…縁線保護具、２１０…案内手段、２２０…被覆筒体、２５０…装着部材、２５１…固定部材、２５１ａ…固定部、２５１ｂ…可動部、２５２…連結部材、３００…縁線保護具、３６０…装着部材、３６１…固定部材、３６１ａ…固定部本体、３６１ｂ…係合爪、３６２…連結部材、４００…縁線保護具、４１０…案内手段、４２０…支持線材、４３０…案内部材、５２０…案内手段、５４０…第２の被覆解除手段、５４１…開閉手段、５４２…把持部、Ｓ１…支持具固定工程、Ｓ２…保持工程、Ｓ３…案内工程、Ｓ４…第１の接続工程、Ｓ５…第２の接続工程、Ｓ６…支持工程、Ｓ７…取外工程、９０１…縁線、９０２…（縁線の）接続箇所、９０３…電柱、９０４…架線、９０４Ａ…第１の架線、９０４Ｂ…第２の架線、９０５…腕金、９０６…ピン碍子、９０７…引き留めクランプ、９０８…端末キャップ、９０９…絶縁カバー
【図１】
0005349509.tif 000002
【図２】
0005349509.tif 000003
【図３】
0005349509.tif 000004
【図４】
0005349509.tif 000005
【図５】
0005349509.tif 000006
【図６】
0005349509.tif 000007
【図７】
0005349509.tif 000008
【図８】
0005349509.tif 000009
【図９】
0005349509.tif 000010
【図１０】
0005349509.tif 000011
【図１１】
0005349509.tif 000012
【図１２】
0005349509.tif 000013
【図１３】
0005349509.tif 000014